【手続補正書】
【提出日】平成20年9月25日(2008.9.25)
【手続補正１】
【補正対象書類名】明細書
【補正対象項目名】発明の名称
【補正方法】変更
【補正の内容】
【発明の名称】表面性識別装置、加熱装置、及び画像形成装置
【手続補正２】
【補正対象書類名】明細書
【補正対象項目名】特許請求の範囲
【補正方法】変更
【補正の内容】
【特許請求の範囲】
【請求項１】  圧電素子を有するプローブの先端を被測定表面に当接しながら走査することにより、前記圧電素子部にてパルス状の電気信号を発生させ、該電気信号の強度差を基に前記被測定表面の表面性を識別する表面性識別装置であって、所定時間内に発生する前記パルス状の電気信号を積分処理する積分処理手段を設け、該積分結果を識別信号とすることを特徴とする表面性識別装置。
【請求項２】  請求項１記載の表面性識別装置において、前記圧電素子を有するプローブは、その反当接側端部を走査面上方で走査面と平行且つ走査方向と直角方向に軸方向を有する回転軸上に固定され、前記プローブ先端は該回転軸を中心として回転可能な状態で加圧手段により前記被測定物表面に加圧当接されていることを特徴とする表面性識別装置。
【請求項３】  請求項１または２記載の表面性識別装置において、前記圧電素子を有するプローブは、そのプローブの当接側先端部に前記走査方向への変形と復元を繰り返して振動可能となる走査方向振動部を有し、該走査方向に逆らって被測定物表面に走査の障害とならない強度範囲内で食い込みながら走査可能となる角度および加圧力で当接されていることを特徴とする表面性識別装置。
【請求項４】  請求項３記載の表面性識別装置において、前記走査方向振動部は、前記プローブの反当接側端部に近い側から当接側端部に向かう順に第１折り曲げ部と、該第１折り曲げ部と逆方向に折り曲げた第２折り曲げ部の２箇所の折り曲げ部を有し、前記走査方向上流側を紙面の右側に設定した場合の走査面と直角且つ走査方向と平行な断面から見たプローブの断面形状がＳ字型となるように加工されたものであることを特徴とする表面性識別装置。
【請求項５】  請求項１記載の表面性識別装置において、前記積分処理手段は、増幅回路と積分回路を用い、前記圧電素子の発生信号を該増幅回路を介して該積分回路に導いた後の積分結果を識別信号とすることを特徴とする表面性識別装置。
【請求項６】  請求項５記載の表面性識別装置において、前記積分回路は、積分抵抗Ｒ１と積分コンデンサーＣ１を直列接続した積分回路部で構成されていることを特徴とする表面性識別装置。
【請求項７】  請求項５または６記載の表面性識別装置において、前記積分回路の後段に第２の増幅回路を設け、該第２の増幅回路により前記積分結果を所望の信号レベルに調整して出力することを特徴とする表面性識別装置。
【請求項８】  請求項６記載の表面性識別装置において、前記積分回路部の前記積分コンデンサーＣ１に並列に放電抵抗Ｒｄを設け、Ｒ１＜Ｒｄを満足するように設定して前記積分回路部による積分結果を検知中に所望の割合で自己放電させることを特徴とする表面性識別装置。
【請求項９】  請求項６記載の表面性識別装置において、前記積分回路部の前記積分コンデンサーＣ１に並列にスイッチング回路を設け、装置制御部のＣＰＵにより前記積分回路部における積分期間と放電期間を所望のタイミングで切り替え可能とすることを特徴とする表面性識別装置。
【請求項１０】  請求項１記載の表面性識別装置において、前記積分処理手段として、増幅回路とＡ／Ｄ変換回路とＣＰＵを用い、前記圧電素子の発生信号を該増幅回路と該Ａ／Ｄ変換回路を介して該ＣＰＵに導き、該ＣＰＵで積分演算処理した積分結果を識別信号とすることを特徴とする表面性識別装置。
【請求項１１】  圧電素子を有するプローブ先端を被測定表面に当接しながら走査することにより、前記圧電素子部にてパルス状の電気信号を発生させ、該電気信号強度差を基に前記被測定表面の表面性を識別する表面性識別装置であって、所定時間内に発生する前記パルス状の電気信号が所定閾値以上に達する回数を積算処理する積算処理手段を設け、該積算手段による積算結果の信号を識別信号とすることを特徴とする表面性識別装置。
【請求項１２】  請求項１１記載の表面性識別装置において、前記積算処理手段は、増幅回路と比較器と閾値信号源とＣＰＵを用い、前記圧電素子の発生信号を該増幅回路で増幅し、該比較器で該閾値信号源と比較した結果を該ＣＰＵに導入して、検知中の所定時間内に前記圧電素子に発生する前記パルス状の電気信号の内、予め定められた閾値レベル以上のパルス状信号が発生した回数を積算し、この積算結果を識別信号とすることを特徴とする表面性識別装置。
【請求項１３】  請求項１１記載の表面性識別装置において、前記積算手段は、増幅回路と比較器と閾値信号源とＣＰＵ内部回数閾値メモリとＣＰＵを用い、前記圧電素子の発生信号を該増幅回路で増幅し、該比較器で該閾値信号源と比較した結果を該ＣＰＵに導入して、検知中の所定時間内に前記圧電素子に発生する前記パルス状の電気信号の内、予め定められた閾値レベル以上のパルス状信号が発生した回数を前記回数閾値メモリの閾値と比較し、その比較結果を識別信号とすることを特徴とする表面性識別装置。
【請求項１４】  請求項１ないし１３の何れかに記載の表面性識別装置において、識別信号処理における信号処理タイミング基準となる基準信号として、前記プローブから検出される先頭信号を用いることを特徴とする表面性識別装置。
【請求項１５】  請求項１ないし１４の何れかに記載の表面性識別装置と、該表面性識別装置を通過した被加熱材上に接触加熱する熱処理手段と、前記表面性識別装置の識別信号に応じて前記熱処理手段の加熱温度を制御する制御手段を備えることを特徴とする加熱装置。
【請求項１６】  請求項１ないし１４の何れかに記載の表面性識別装置と、該表面性識別装置を通過した記録材上にトナー像を形成する画像形成手段と、トナー像が形成された記録材を加熱および加圧して該記録材上に前記トナー像を定着させる定着手段と、前記表面性識別装置の識別信号に応じて前記定着手段の定着条件を制御する制御手段を備えることを特徴とする画像形成装置。
【手続補正３】
【補正対象書類名】明細書
【補正対象項目名】０００１
【補正方法】変更
【補正の内容】
【０００１】
【発明の属する技術分野】
本発明は、被測定物の表面摩擦抵抗の差とその要因となる表面粗さの差および表面材質の差を識別する表面性識別装置、前記装置を備えた加熱装置および電子写真方式のプリンタ，複写機、インクジェットプリンタ、サーマルヘッドプリンタ、ドットインパクトプリンタ、ファクシミリやこれらの複合機器等の画像形成装置に関するものである。
【手続補正４】
【補正対象書類名】明細書
【補正対象項目名】００４７
【補正方法】変更
【補正の内容】
【００４７】
本発明は、このような状況のもとでなされたもので、記録材の表面粗さ等を識別誤差の極めて少ない安定した状態で確実に識別できる表面性識別装置、これを用いた加熱装置、および画像形成装置を提供することを目的とするものである。
【手続補正５】
【補正対象書類名】明細書
【補正対象項目名】００４８
【補正方法】変更
【補正の内容】
【００４８】
【課題を解決するための手段】
前記目的を達成するため、本発明では、表面性識別装置を次の（１）ないし（１４）のとおりに構成し、加熱装置を次の（１５）のとおりに構成し，画像形成装置を次の（１６）のとおりに構成する。
【手続補正６】
【補正対象書類名】明細書
【補正対象項目名】００６４
【補正方法】変更
【補正の内容】
【００６４】
（１６）前記（１）〜（１４）の何れかに記載の表面性識別装置と、該表面性識別装置を通過した記録材上にトナー像を形成する画像形成手段と、トナー像が形成された記録材を加熱および加圧して該記録材上に前記トナー像を定着させる定着手段と、前記表面性識別装置の識別信号に応じて前記定着手段の定着条件を制御する制御手段を備える画像形成装置。
【手続補正７】
【補正対象書類名】明細書
【補正対象項目名】００６５
【補正方法】削除
【補正の内容】
【手続補正８】
【補正対象書類名】明細書
【補正対象項目名】００６６
【補正方法】削除
【補正の内容】
【手続補正９】
【補正対象書類名】明細書
【補正対象項目名】００６７
【補正方法】削除
【補正の内容】
【手続補正１０】
【補正対象書類名】明細書
【補正対象項目名】００６８
【補正方法】削除
【補正の内容】
【手続補正１１】
【補正対象書類名】明細書
【補正対象項目名】００６９
【補正方法】削除
【補正の内容】
【手続補正１２】
【補正対象書類名】明細書
【補正対象項目名】００７０
【補正方法】削除
【補正の内容】
【手続補正１３】
【補正対象書類名】明細書
【補正対象項目名】００７１
【補正方法】削除
【補正の内容】
【手続補正１４】
【補正対象書類名】明細書
【補正対象項目名】００７２
【補正方法】削除
【補正の内容】
【手続補正１５】
【補正対象書類名】明細書
【補正対象項目名】００７３
【補正方法】削除
【補正の内容】